(57)【要約】【課題】携帯端末を利用することで部品点数の増加を抑えながら、前記携帯端末のスピーカ部から発せられる再生音を容易に増幅して出力することができる携帯端末用カバーの提供する。【解決手段】携帯端末用カバー１０は、カバー本体１１と膨出部４０とを備える。前記カバー本体は、第１凹部３１を有し、前記携帯端末用カバーの携帯端末１への装着時に、前記携帯端末に取り付けられて、前記第１凹部の一部を閉塞した前記携帯端末と協働して音響経路５０を構成する。前記膨出部は、開口部４１および第２凹部４２を有し、これらを用いて前記音響経路に連通し得る放音口５１を構成する。前記カバー本体の第１凹部は、音入力部３３と連通部３４とを有している。前記連通部は、前記音入力部側から前記第２凹部側に向かうに従って断面積が拡大するホーン形状部３６を含み、前記音入力部と前記第２凹部とを前記ホーン形状部を介して連通させる。【選択図】図８
2014216777.tif 000002
【特許請求の範囲】
【請求項１】
スピーカ部を有する携帯端末に着脱可能に装着される携帯端末用カバーにおいて、
前記携帯端末の背面と対向し得る第１対向面、前記携帯端末の周側面のうち少なくとも前記スピーカ部の放音孔を設けた部分と対向し得る第２対向面、ならびに、前記第１対向面および前記第２対向面に設けられ、前記第１対向面および前記第２対向面に接した前記携帯端末により一部を閉塞される第１凹部を有し、前記携帯端末用カバーの前記携帯端末への装着時に、前記携帯端末に取り付けられて、前記第１凹部の一部を閉塞した前記携帯端末と協働して音響経路を構成するカバー本体と、
前記カバー本体に連設された膨出部であって、外部に開口する開口部、および、前記開口部と前記第１凹部の一端とを連通させる第２凹部を有し、前記開口部および前記第２凹部を用いて前記音響経路に連通し得る放音口を構成する膨出部とを備え、
前記カバー本体の第１凹部は、その他端側で前記音響経路の構成時に前記スピーカ部の放音孔に対向配置され、前記スピーカ部から発せられる再生音を入力し得る音入力部と、前記音入力部側から前記第２凹部側に向かうに従って断面積が拡大するホーン形状部を含み、前記音入力部と前記第２凹部とを前記ホーン形状部を介して連通させる連通部とを有していることを特徴とする携帯端末用カバー。
【請求項２】
スピーカ部を有する携帯端末に着脱可能に装着される携帯端末用カバーにおいて、
前記スピーカ部の放音孔を設けた前記携帯端末の背面と対向し得る対向面、および、前記対向面に設けられ、前記対向面に接した前記携帯端末により一部を閉塞される第１凹部を有し、前記携帯端末用カバーの前記携帯端末への装着時に、前記携帯端末に取り付けられて、前記第１凹部の一部を閉塞した前記携帯端末と協働して音響経路を構成するカバー本体と、
前記カバー本体に連設された膨出部であって、外部に開口する開口部、および、前記開口部と前記第１凹部の一端とを連通させる第２凹部を有し、前記開口部および前記第２凹部を用いて前記音響経路に連通し得る放音口を構成する膨出部とを備え、
前記カバー本体の第１凹部は、その他端側で前記音響経路の構成時に前記スピーカ部の放音孔に対向配置され、前記スピーカ部から発せられる再生音を入力し得る音入力部と、前記音入力部側から前記第２凹部側に向かうに従って断面積が拡大するホーン形状部を含み、前記音入力部と前記第２凹部とを前記ホーン形状部を介して連通させる連通部とを有していることを特徴とする携帯端末用カバー。
【請求項３】
前記カバー本体の第１凹部は、前記第１対向面においてその長手方向のほぼ全領域にわたって延設されていることを特徴とする請求項１に記載の携帯端末用カバー。
【請求項４】
前記膨出部の開口部は、前記携帯端末用カバーの前記携帯端末への装着時に前記携帯端末の表示部が向く方向に開放されていることを特徴とする請求項１ないし請求項３のいずれか一項に記載の携帯端末用カバー。
【請求項５】
前記カバー本体は、前記携帯端末用カバーの前記携帯端末への装着時に前記カバー本体と前記携帯端末との間を密閉するためのパッキンを、少なくとも前記音入力部の開口面の周囲に備えていることを特徴とする請求項１ないし請求項４のいずれか一項に記載の携帯端末用カバー。
【発明の詳細な説明】
【技術分野】
【０００１】
本発明は、スピーカ部を有する携帯端末に着脱可能に装着される携帯端末用カバーに関するものである。
【背景技術】
【０００２】
従来、携帯端末の音響を改善することを目的とした携帯端末用カバーとして、たとえば特許文献１に記載の携帯端末用カバーが知られている。この携帯端末用カバーにおいては、携帯端末の側面にあるスピーカー開口部を覆う取込口が設けられるとともに、前記携帯端末のスピーカーの音が出る出口開口が当該携帯端末用カバーの正面に設けられている。そして、スピーカーの音を前記取込口から前記出口開口に向かって誘導するための空洞が、前記携帯端末用カバーに形成されている。
【先行技術文献】
【特許文献】
【０００３】
【特許文献１】実用新案登録第３１７１０００号公報
【発明の概要】
【発明が解決しようとする課題】
【０００４】
しかしながら、特許文献１に記載の携帯端末用カバーは、携帯端末のスピーカの音量の低下を改善するために、スピーカからの音を誘導する空洞が短く形成されているものにすぎなかった。
【０００５】
本発明は、このような事情に鑑みてなされたものであり、携帯端末を利用することで部品点数の増加を抑えながら、前記携帯端末のスピーカ部から発せられる再生音を容易に増幅して出力することができる携帯端末用カバーの提供を目的とする。
【課題を解決するための手段】
【０００６】
請求項１に係る発明は、スピーカ部を有する携帯端末に着脱可能に装着される携帯端末用カバーにおいて、前記携帯端末の背面と対向し得る第１対向面、前記携帯端末の周側面のうち少なくとも前記スピーカ部の放音孔を設けた部分と対向し得る第２対向面、ならびに、前記第１対向面および前記第２対向面に設けられ、前記第１対向面および前記第２対向面に接した前記携帯端末により一部を閉塞される第１凹部を有し、前記携帯端末用カバーの前記携帯端末への装着時に、前記携帯端末に取り付けられて、前記第１凹部の一部を閉塞した前記携帯端末と協働して音響経路を構成するカバー本体と、前記カバー本体に連設された膨出部であって、外部に開口する開口部、および、前記開口部と前記第１凹部の一端とを連通させる第２凹部を有し、前記開口部および前記第２凹部を用いて前記音響経路に連通し得る放音口を構成する膨出部とを備え、前記カバー本体の第１凹部は、その他端側で前記音響経路の構成時に前記スピーカ部の放音孔に対向配置され、前記スピーカ部から発せられる再生音を入力し得る音入力部と、前記音入力部側から前記第２凹部側に向かうに従って断面積が拡大するホーン形状部を含み、前記音入力部と前記第２凹部とを前記ホーン形状部を介して連通させる連通部とを有していることを特徴とするものである。
【０００７】
この構成によれば、前記携帯端末用カバーの前記携帯端末への装着時に、前記携帯端末の保護を可能としたうえで、前記携帯端末用カバーおよび前記携帯端末を用いて、前記カバー本体の第１凹部とこれに対向する前記携帯端末との間にホーン形状を有する前記音響経路を構成することができる。したがって、前記スピーカ部から発せられる再生音を前記放音孔を介して前記音響経路の内部に入れて、前記音響経路に通じる前記放音口から電気エネルギーを使用することなく増幅させた音を出力することができ、その増幅した出力音を効率よく外部空間へ放射することができる。
【０００８】
よって、前記携帯端末用カバーを前記携帯端末に装着しているだけで、前記携帯端末のスピーカ部から発せられる再生音を前記携帯端末側で音量設定を変えずとも容易に大きくすることができ、その結果、前記携帯端末を利用中のユーザにとってその出力音を十分な音量として聞き取りやすいものにできる。また、前記携帯端末用カバーを装着した前記携帯端末が前記音響経路の一部を構成する機能を果たすので、部品点数の増加を抑えながら、簡単な構造の前記携帯端末用カバーを得ることができる。
【０００９】
請求項２に係る発明は、スピーカ部を有する携帯端末に着脱可能に装着される携帯端末用カバーにおいて、前記スピーカ部の放音孔を設けた前記携帯端末の背面と対向し得る対向面、および、前記対向面に設けられ、前記対向面に接した前記携帯端末により一部を閉塞される第１凹部を有し、前記携帯端末用カバーの前記携帯端末への装着時に、前記携帯端末に取り付けられて、前記第１凹部の一部を閉塞した前記携帯端末と協働して音響経路を構成するカバー本体と、前記カバー本体に連設された膨出部であって、外部に開口する開口部、および、前記開口部と前記第１凹部の一端とを連通させる第２凹部を有し、前記開口部および前記第２凹部を用いて前記音響経路に連通し得る放音口を構成する膨出部とを備え、前記カバー本体の第１凹部は、その他端側で前記音響経路の構成時に前記スピーカ部の放音孔に対向配置され、前記スピーカ部から発せられる再生音を入力し得る音入力部と、前記音入力部側から前記第２凹部側に向かうに従って断面積が拡大するホーン形状部を含み、前記音入力部と前記第２凹部とを前記ホーン形状部を介して連通させる連通部とを有していることを特徴とするものである。
【００１０】
この構成によれば、請求項１に係る発明と同様に、前記携帯端末用カバーを前記携帯端末に装着しているだけで、前記携帯端末のスピーカ部から発せられる再生音を前記携帯端末側で音量設定を変えずとも容易に大きくすることができ、その結果、前記携帯端末を利用中のユーザにとってその出力音を十分な音量として聞き取りやすいものにできる。そして、前記携帯端末用カバーを装着した前記携帯端末が前記音響経路の一部を構成する機能を果たすので、部品点数の増加を抑えながら、簡単な構造の前記携帯端末用カバーを得ることができる。
【００１１】
請求項３に係る発明は、請求項１に記載の携帯端末用カバーにおいて、前記カバー本体の第１凹部が、前記第１対向面においてその長手方向のほぼ全領域にわたって延設されていることを特徴とするものである。
【００１２】
この構成によれば、前記携帯端末用カバーが前記携帯端末と協働することで形成される前記音響経路の大きさを比較的大きく確保することが可能となる。したがって、音響性能を高めることができる。
【００１３】
請求項４に係る発明は、請求項１から請求項３のいずれか一項に記載の携帯端末用カバーにおいて、前記膨出部の開口部が、前記携帯端末用カバーの前記携帯端末への装着時に前記携帯端末の表示部が向く方向に開放されていることを特徴とするものである。
【００１４】
この構成によれば、ユーザが前記携帯端末用カバーを装着された前記携帯端末をその表示部を見ながら使用している場合であれば、出力音をユーザに向けて出すことができる。よって、このような場合にはユーザにとって出力音をより聞き取りやすいものにできる。
【００１５】
請求項５に係る発明は、請求項１から請求項４のいずれか一項に記載の携帯端末用カバーにおいて、前記カバー本体は、前記携帯端末を覆う際に前記カバー本体と前記携帯端末との間を密閉するためのパッキンを、少なくとも前記音入力部の開口面の周囲に備えていることを特徴とするものである。
【００１６】
この構成によれば、前記携帯端末用カバーの前記携帯端末への装着時に、前記パッキンを用いて少なくとも前記対向面のうち前記音入力部の開口面の周囲で前記対向面と前記携帯端末との間を密閉することができる。したがって、特に、前記音響経路の入口と前記携帯端末における前記スピーカ部の放音孔との間隙からの音漏れを有効に抑制することができる。
【発明の効果】
【００１７】
本発明によれば、携帯端末を利用することで部品点数の増加を抑えながら、前記携帯端末のスピーカ部から発せられる再生音を容易に増幅して出力することができる携帯端末用カバーを提供できる。
【図面の簡単な説明】
【００１８】
【図１】（Ａ）本発明の第１実施形態に係る携帯端末用カバーを装着する対象となる携帯端末の正面図。（Ｂ）前記携帯端末の背面図。（Ｃ）前記携帯端末の底面図。
【図２】本発明の第１実施形態に係る携帯端末用カバーの斜視図。
【図３】本発明の第１実施形態に係る携帯端末用カバーの正面図。
【図４】本発明の第１実施形態に係る携帯端末用カバーの左側面図。
【図５】本発明の第１実施形態に係る携帯端末用カバーの底面図。
【図６】図３におけるＸ−Ｘ矢視断面図。
【図７】図３におけるＹ−Ｙ矢視断面図。
【図８】本発明の第１実施形態に係る携帯端末用カバーが携帯端末に装着された状態を示す斜視図。
【図９】本発明の第１実施形態に係る携帯端末用カバーの携帯端末への装着時におけるスピーカ部の出力音の音圧レベルと前記携帯端末用カバー未装着時における前記スピーカ部の出力音の音圧レベルとの差と、周波数との関係を示す図。
【図１０】本発明の別の実施形態に係る携帯端末用カバーの正面図。
【図１１】本発明のさらに別の実施形態に係る携帯端末用カバーの正面図。
【図１２】本発明のまた別の実施形態に係る携帯端末用カバーの正面図。
【図１３】本発明の第２実施形態に係る携帯端末用カバーの正面図。
【図１４】本発明の第１実施形態に係る携帯端末用カバー、および当該携帯端末用カバーが装着され得る別の例の携帯端末の斜視図。
【発明を実施するための形態】
【００１９】
［第１実施形態］
まず、本発明の第１実施形態に係る携帯端末用カバー１０について添付図面を参照しつつ説明する。なお、各図において同一の符号を付した部材は、同一または実質的に同一の部材である。
【００２０】
図１（Ａ）に、前記携帯端末用カバー１０を装着する対象となる携帯端末１の正面図を示す。図１（Ｂ）に、前記携帯端末１の背面図を示す。図１（Ｃ）に、前記携帯端末１の底面図を示す。
【００２１】
本実施形態において、前記携帯端末１は、図１（Ａ）、（Ｂ）および（Ｃ）に示すように、長手方向を上下方向としかつ短手方向を左右方向として所定の厚みを有する直方体状のスマートフォンである。前記携帯端末１は、表示部２とスピーカ部３とを備えている。前記表示部２は、タッチ操作部を兼ねるものであり、前記携帯端末１の外面のうち正面側に設けられている。
【００２２】
前記スピーカ部３は、放音孔４、キャビティ５およびスピーカユニット６を有している。前記放音孔４は、音を前記携帯端末１の外部に放出するためのものである。前記放音孔４は、前記携帯端末１の外部に開口するように当該携帯端末１の周側面の一部（本実施形態では底面）に設けられ、そこで前記携帯端末１の短手方向（左右方向）一側寄りに配置されている。
【００２３】
前記キャビティ５は、前記放音孔４と連通するように前記携帯端末１の内部に形成されている。前記スピーカユニット６は、前記キャビティ５に収容されている。そして、前記スピーカ部３は、前記スピーカユニット６で再生された着信音ならびに動画および音楽の音を含む各種の音が前記放音孔４から発せられるように構成されている。
【００２４】
図２に、前記携帯端末用カバー１０の斜視図を示す。図３に、前記携帯端末用カバー１０の正面図を示す。図４に、前記携帯端末用カバー１０の左側面図を示す。図５に、前記携帯端末用カバー１０の底面図を示す。図６に、図３におけるＸ−Ｘ矢視断面図を示す。図７に、図３におけるＹ−Ｙ矢視断面図を示す。図８に、前記携帯端末用カバー１０が前記携帯端末１に装着された状態の斜視図を示す。
【００２５】
図１から図７に示すように、前記携帯端末用カバー１０は、前記携帯端末１に着脱可能に装着されるものである。本実施形態において、前記携帯端末用カバー１０は、図８に示すように、前記携帯端末１への装着時に、前記携帯端末１の表示部２を外部に露出させつつ、前記携帯端末１の背面および周側面の少なくとも一部を覆うように構成されている。
【００２６】
前記携帯端末用カバー１０は、カバー本体１１を備えている。前記カバー本体１１は、前記携帯端末用カバー１０の前記携帯端末１への装着時に、前記携帯端末１の一部を被覆した状態で前記携帯端末１に取り付けられる部分であり、前記携帯端末１に応じた適宜の大きさおよび形状に形成されている。
【００２７】
前記カバー本体１１は、第１対向面１２と、第２対向面１３とを有している。前記第１対向面１２は、前記携帯端末１の背面と対向し得るものである。前記第２対向面１３は、前記携帯端末１の周側面のうち少なくとも前記スピーカ部３の放音孔４を設けた部分すなわち底面の一部と対向し得るものである。
【００２８】
本実施形態において、前記カバー本体１１は、前記第１対向面１２を含む第１対向部１５と、前記第２対向面１３を含む第２対向部１６とを備えている。そして、前記カバー本体１１は、硬質樹脂などの硬質材料またはシリコンなどの弾性材料から構成され、前記第１対向部１５と前記第２対向部１６とを一体的に設けたものとされている。
【００２９】
前記第１対向部１５は、長手方向を上下方向としかつ短手方向を左右方向として所定の厚みを有する矩形板状とされ、その２つの板面のうち前方を向く板面が前記第１対向面１２をなすように構成されている。前記第１対向面１２は、前記携帯端末１の平面状の背面に対向して当接する平面であり、前記携帯端末１の背面と比べて同程度の長手幅（上下幅）および短手幅（左右幅）を有するように形成されている。
【００３０】
前記第２対向部１６は、前記第１対向部１５の下側外周縁部に沿って延びかつこの下側外周縁部から前記カバー本体１１の前方および下方に一体的に膨出するように設けられ、前記カバー本体１１の上方に臨む面が前記第２対向面１３をなすように構成されている。前記第２対向面１３は、前記携帯端末１の平面状の底面の一部に対向して当接する平面であり、前記携帯端末１の厚みと比べて同程度または大きい高さ（前後幅）を有するように形成されている。
【００３１】
また、本実施形態においては、前記カバー本体１１に、前記第１対向部１２から前方に突出する周壁部２３が備えられている。前記周壁部２３は、前記第１対向面１２の外周縁部に沿って環状に延び、かつこの外周縁部から前記カバー本体１１の前方に一体的に突出するように設けられている。前記周壁部２３は、可撓性を有し、前記携帯端末１と比べて若干小さい左右幅および上下幅を有しかつ同程度の前後幅を有するように形成されている。
【００３２】
こうして、前記カバー本体１１は、前記第１対向部１５と前記周壁部２３とによって形成された、前方に向かって開放する受け入れ凹部２５を形成し、前記携帯端末用カバー１０の前記携帯端末１への装着時に、前記表示部２が前方に向かって露出するように前記携帯端末１を前記受け入れ凹部２５に嵌め込み、前記第１対向面１２および前記第２対向面１３が前記携帯端末１に対向して当接した嵌め込み状態を維持することができるようになっている。
【００３３】
なお、前記周壁部２３のうち前記第１対向面１２の下側外周縁部に沿って延在する部分の一部は、前記周壁部２３よりも肉厚な前記第２対向部１６で構成されている。また、前記周壁部２３には、前記カバー本体１１の前記携帯端末１への装着時に前記携帯端末１の周側面に備えられた操作ボタン７・８または接続コネクタ９など（図１参照）を露出させるため、少なくとも一つ（本実施形態では３つ）の切り欠き部２７・２８・２９が設けられている。
【００３４】
また、図２から図７に示すように、前記カバー本体１１は、第１凹部３１を有している。前記第１凹部３１は、前記第１対向面１２および前記第２対向面１３に設けられ、前記第１対向面１２および前記第２対向面１３に接した前記携帯端末１により一部を閉塞されるものである。
【００３５】
そして、前記カバー本体１１は、図８に示すように、前記携帯端末用カバー１０の前記携帯端末１への装着時に、前記携帯端末１に取り付けられて、前記第１凹部３１の一部を閉塞した前記携帯端末１と協働して音響経路５０を構成するようになっている。
【００３６】
本実施形態においては、前記第１凹部３１は、前記カバー本体１１の前方へ開放するように前記第１対向面１２に形成された空間と、この空間に連続しかつ前記カバー本体１１の上方へ開放するように前記第２対向面１３に形成された空間とからなり、前記第１対向面１２および前記第２対向面１３のそれぞれに対して所定の深さを有するように形成されている。
【００３７】
そして、前記第１凹部３１は、前記携帯端末用カバー１０の前記携帯端末１への装着時に、すなわち前記携帯端末１が前記カバー本体１１の受け入れ凹部２５に嵌め込まれたときに、前記携帯端末１の背面および底面によって開口面の大部分の領域で閉塞されつつ、両端部のそれぞれで後述する膨出部４０の第２凹部４２と前記携帯端末１における前記放音孔４とに連通されるように構成されている。
【００３８】
こうして、前記カバー本体１１と前記携帯端末１とを用いて、前記カバー本体１１の第１凹部３１と前記携帯端末１の背面および底面との間に、前記音響経路５０（前記携帯端末１のスピーカ部３から発せられる再生音の伝播方向を制限しながらこの音を入口から出口に向かって伝播させる経路）が画されるようになっている。なお、図７における白抜き矢印は、前記音響経路５０の構成時における音の伝播方向を表すものである。
【００３９】
また、前記携帯端末用カバー１０は、前記膨出部４０をさらに備えている。前記膨出部４０は、前記カバー本体１１に連設されたものである。本実施形態において、前記膨出部４０は、前記カバー本体１１の上端部から上方へ一体的に突出するように設けられたものであり、前記カバー本体１１の上端部と比べて同程度の左右幅および前後幅を有するように形成されている。
【００４０】
前記膨出部４０は、開口部４１と前記第２凹部４２とを有し、これらを用いて前記音響経路５０に連通し得る放音口５１を構成するようになっている。前記開口部４１は、前記膨出部４０（前記携帯端末用カバー１０）の外部に開口するものである。前記第２凹部４２は、前記開口部４１と前記第１凹部３１の一端（上端）とを連通させるものである。
【００４１】
詳しくは、前記膨出部４０は、前記カバー本体１１の周壁部２３の前面と同一平面上に位置する前面を備えた直方体状部分であり、その前面に前記開口部４１を有するように構成されている。これにより、前記放音口５１が、前記カバー本体１１の前記携帯端末１への装着時に前記携帯端末１の表示部２が向く方向すなわち前方に開放されるようになっている。
【００４２】
前記開口部４１は、前記膨出部４０の前面に極力大きく設けられている。そして、前記開口部４１をそれ自体の開口部とするように、前記膨出部４０の前方に向かって開口する前記第２凹部４２が前記膨出部４０の前面に設けられている。前記第２凹部４２は、前記カバー本体１１と前記膨出部４０の境界の壁部の下側を貫通する貫通孔４５を介して前記第１凹部３１の上端と連通されている。
【００４３】
ここで、前記音響経路５０および前記放音口５１についてより詳しく説明する。前記音響経路５０は、前記携帯端末用カバー１０における前記カバー本体１１の第１凹部３１と、前記携帯端末１の背面および底面を用いて構成される。また、前記放音口５１は、前記携帯端末用カバー１０における前記膨出部４０の開口部４１および第２凹部４２を用いて構成される。
【００４４】
前記音響経路５０側において、前記第１凹部３１は、音入力部３３と、連通部３４とを有している。前記第１凹部３１は、その一部を前記携帯端末１にて閉塞されることより、前記携帯端末１のスピーカ部３から前記放音孔４を介して発せられる再生音を前記音入力部３３で受け入れ、前記連通部３４を介して前記放音口５１まで伝播させることができるように構成されている。
【００４５】
具体的には、前記音入力部３３は、前記第１凹部３１の他端（下端）側で前記音響経路５０の構成時に前記スピーカ部３の放音孔４に対向配置され、前記スピーカ部３から発せられる再生音を入力し得るように構成されている。前記音入力部３３は、前記第１凹部３１のうち前記第２対向面１３に設けられた部分であり、前記カバー本体１１の上方に向かって開放する凹状に形成されている。
【００４６】
本実施形態においては、前記音入力部３３は、所定大きさの空間を有するように前記第２対向面１３に形成された溝からなり、前記スピーカ部３の放音孔４と連通し、かつこの連通部分を除く部分が前記携帯端末１の底面により閉塞され得るように構成されている。つまり、前記音入力部３３は、その開口面に前記音響経路５０の入口を形成し得るようになっている。
【００４７】
前記連通部３４は、前記音響経路５０の断面積を変化させるためのホーン形状部３６を含み、前記音入力部３３と前記第２凹部４２とを前記ホーン形状部３６を介して連通させるように形成されている。前記連通部３４は、前記第１凹部３１のうち前記第１対向面１２に設けられた部分であり、前記カバー本体１１の前方に向かって開放する凹状に形成されている。
【００４８】
本実施形態においては、前記連通部３４は、所定大きさの空間を有するように前記第１対向面１２に形成された溝からなり、長手方向一端（上端）で前記第２凹部４２と連通されかつ長手方向他端（下端）で前記音入力部３３と連通されるとともに、前記携帯端末１の背面により閉塞され得るように構成されている。また、前記連通部３４は、そのほぼ全体で前記ホーン形状部３６をなすようになっている。
【００４９】
前記ホーン形状部３６（前記連通部３４）は、前記第１対向面１２の長手方向のほぼ全領域にわたって直線状に延設されている。そして、前記ホーン形状部３６は、音の伝播方向と直交する方向の断面積ひいては前記音響経路５０の断面積が変化するように、音の向かう先に行くに従って（前記音入力部３３側から前記膨出部４０の第２凹部４２側に向かうに従って）断面積が拡大する先広がり形状とされている。
【００５０】
ここでは、前記音響経路５０の断面積を変化させるために、前記ホーン形状部３６の左右方向の溝幅が、前記音入力部３３側から前記音出力部側（下側から上側）に向かうに従って漸次広がるように設定されている。また、前記ホーン形状部３６の前後方向の深さが、前記第１対向面１２に対して前記音入力部３３側から前記音出力部側に向かうに従って漸次深くなるように設定されている。
【００５１】
一方、前記音響経路５０に連続する前記放音口５１側において、前記第２凹部４２が、前記音響経路５０の構成時、前記音響経路５０からの音を前記貫通孔４５を介して受け入れ、前記開口部４１まで伝播させることができるように構成されている。前記開口部４１は、ここに達した音を前記携帯端末用カバー１０の外部に出力することができるように構成されている。
【００５２】
詳しくは、前記開口部４１は、前記膨出部４０の前面のほぼ全領域にわたって設けられている。そして、前記第２凹部４２が、前記膨出部４０の上端から下端側（前記第１凹部３１側）に向かうに従って低くなる曲面を含む底面を有し、前記第１凹部３１からの音を前記開口部４１に向かって導くことができるように構成されている。
【００５３】
なお、前記開口部４１を介して前記第２凹部４２さらには前記第１凹部３１の内側に外部から塵埃などが侵入するのを防止するために、前記膨出部４０にカバーなどを取り付けてもよい。このカバーは、十分な通気性を有し、前記開口部４１から前記膨出部４０の外部への音の放射を阻害しないものである。
【００５４】
以上のような構成により、前記携帯端末用カバー１０の前記携帯端末１への装着時に、前記携帯端末１の保護を可能としたうえで、前記携帯端末用カバー１０および前記携帯端末１を用いて、前記カバー本体１１の第１凹部３１とこれに対向する前記携帯端末１（背面および底面）との間に、ホーン形状を有する前記音響経路５０を構成することができる。したがって、前記スピーカ部３から発せられる再生音を前記放音孔４を介して前記音響経路５０の内部に入れて、前記音響経路５０に通じる前記放音口５１から電気エネルギーを使用することなく増幅させた音を出力することができ、その増幅した出力音を効率よく外部空間へ放射することができる。
【００５５】
よって、前記携帯端末用カバー１０を前記携帯端末１に装着しているだけで、前記携帯端末１のスピーカ部３から発せられる再生音を、前記携帯端末１側で音量設定を変えずとも容易に大きくすることができ、その結果、前記携帯端末１を利用中のユーザにとってその出力音を十分な音量として聞き取りやすいものにできる。また、前記携帯端末用カバー１０を装着した前記携帯端末が前記音響経路５０の一部を構成する機能を果たすので、部品点数の増加を抑えながら、簡単な構造の前記携帯端末用カバー１０を得ることができる。
【００５６】
本実施形態においては、また、前記カバー本体１１の第１凹部３１が、前記第１対向面１２においてその長手方向のほぼ全領域にわたって延設されているので、前記連通部３４のホーン形状部３６ひいては前記音響経路５０のホーン形状部分の大きさを比較的大きく確保することが可能となる。したがって、音響性能を高めることができる。
【００５７】
なお、本実施形態に係る前記携帯端末用カバー１０の音響性能については、実測で確認している。図９は、前記携帯端末用カバー１０の前記携帯端末１への装着時における前記スピーカ部３の出力音の音圧レベルと前記携帯端末用カバー１０の未装着時における前記スピーカ部３の出力音の音圧レベルとの差と、周波数との関係を示す図である。図９から、前記携帯端末１に前記携帯端末用カバー１０を装着したときには、約３００Ｈｚ以上の周波数で約５ｄＢ以上の音圧レベルの上昇を確認でき、周波数によっては２０ｄＢ以上の音圧レベルの上昇を確認できる。
【００５８】
本実施形態においては、さらに、前記放音口５１における前記開口部４１が、前記携帯端末用カバー１０の前記携帯端末１への装着時に前記表示部２が向く方向すなわち前方に開放されているので、ユーザが前記携帯端末用カバー１０を装着された前記携帯端末１をその表示部２を見ながら使用している場合であれば、出力音をユーザに向けて出すことができる。よって、このような場合にはユーザにとって出力音をより聞き取りやすいものにできる。
【００５９】
また、前記携帯端末用カバー１０は、前記携帯端末１への装着時に前記カバー本体１１と前記携帯端末１との間を密閉するためのパッキンを、前記第１対向面１２および前記第２対向面１３のうち少なくとも前記音入力部３３の開口面の周囲に備えるように構成することも可能である。たとえば、図１０に示すように、パッキン６１・６２は、シリコンゴムまたはウレタンゴムなどの弾性材料から構成されて、それぞれ前記第２対向面１３における前記音入力部３３の開口面の縁部および前記第１対向面１２における前記連通部３４の開口面の縁部に沿って設けられ得る。
【００６０】
これにより、たとえば前記携帯端末１の外面（背面および周側面）が弾性材料から構成されていない場合であっても、前記携帯端末１に前記携帯端末用カバー１０が装着されたときに、パッキンを用いて前記カバー本体１１と前記携帯端末１との間の密閉度を、少なくとも前記音入力部３３の開口面の周囲で高めることができる。したがって、特に、前記音響経路５０の入口と前記携帯端末１における前記スピーカ部３の放音孔４との間隙からの音漏れを有効に抑制することができる。
【００６１】
また、前記携帯端末用カバー１０は、前記カバー本体１１において前記第１凹部３１の少なくとも一部を前記携帯端末１の外面に代えて閉塞部材で閉塞するように構成することも可能である。たとえば、図１１に示すように、閉塞部材６５は、フィルムまたは樹脂などから構成され、前記第２対向面１３において前記音入力部と前記スピーカ部３の放音孔４とを連通させつつ、前記携帯端末１の底面に代えて前記第１凹部３１を閉塞するように設けられ得る。
【００６２】
なお、本発明におけるカバー本体は、本実施形態においては前記放音口５１側の一端が前記第１対向面１２の左右方向いっぱいに広がるように形成された前記第１凹部３１を有する前記カバー本体１１とされているが、これに限定されるものではなく、たとえば、カメラレンズを背面に設置した携帯端末に携帯端末用カバーが適用されるのであれば、図１２に示すように、レンズ露出用孔６７を避けて形成された第１凹部６８を有するカバー本体６９とされ得る。
【００６３】
［第２実施形態］
次に、本発明の第２実施形態に係る携帯端末用カバー７０について添付図面を参照しつつ説明する。なお、図において第１実施形態と同一の符号を付した部材は、同一または実質的に同一の部材であることを示し、適宜、その説明を省略する。
【００６４】
本実施形態に係る携帯端末用カバー７０は、第１実施形態に係る前記携帯端末用カバー１０が前記スピーカ部３の放音孔４を周側面に備えた前記携帯端末１に適用されるものであるのに対して、スピーカ部の放音孔を背面に備えた携帯端末に適用されるものである。
【００６５】
本実施形態に係る携帯端末用カバー７０においては、第１実施形態と比べて、主として第１凹部７１の形状が変更されている。具体的には、前記第１凹部７１が、対向面７２のみに形成されている点において、第１実施形態の、前記第１対向面１２および前記第２対向面１３に形成された前記第１凹部３１と相違している。
【００６６】
図１３に、本実施形態に係る携帯端末用カバー７０を示す。図１３に示すように、前記携帯端末用カバー７０は、カバー本体７３と膨出部４０とを備えている。
【００６７】
前記カバー本体７３は、前記対向面７２と前記第１凹部７１と有している。前記対向面７２は、前記携帯端末の背面と対向し得るものである。前記第１凹部７１は、前記対向面７２に設けられ、前記対向面７２に接した前記携帯端末により一部を閉塞されるものである。
【００６８】
本実施形態において、前記対向面７２は、前記携帯端末の平面状の背面に対向して当接する平面であり、前記携帯端末の背面と比べて同程度の長手幅（上下幅）および短手幅（左右幅）を有するように形成されている。
【００６９】
前記第１凹部７１は、前記カバー本体７３の前方へ開放するように前記対向面７２に形成された空間からなり、前記対向面７２に対して所定の深さを有するように形成されている。また、前記第１凹部７１は、音入力部７７と連通部７８とを有している。
【００７０】
前記音入力部７７は、前記第１凹部７１の他端側で前記携帯端末の背面にある前記スピーカ部の放音孔に対向配置され、前記スピーカ部から発せられる再生音を入力し得るように構成されている。
【００７１】
前記連通部７８は、前記音入力部７７側から前記第２凹部４２側に向かうに従って断面積が拡大するホーン形状部７９を含み、前記音入力部７７と前記第２凹部４２とを前記ホーン形状部７９を介して連通させるように構成されている。ここで、前記連通部７８は、そのほぼ全体で前記ホーン形状部７９をなすようになっている。
【００７２】
このような構成により、前記携帯端末用カバー７０の前記携帯端末への装着時に、前記カバー本体７３が、前記携帯端末に取り付けられて、前記第１凹部７１の一部を閉塞した前記携帯端末と協働して音響経路を構成するようになっている。そして、構成された音響経路がホーン形状を有し、前記膨出部４０側の放音口５１に連続するようになっている。
【００７３】
なお、本発明に係る携帯端末用カバーは、第１実施形態および第２実施形態においてはスマートフォンである携帯端末に対応した携帯端末用カバーとされているが、これに限定されるものではなく、たとえばタブレット端末およびポータブル音楽プレーヤなどの異なる種類の携帯端末に対応した携帯端末用カバーとされ得るなど、特許請求の範囲に記載された発明の範囲内で適宜変更され得る。
【００７４】
また、本発明に係る携帯端末用カバーが装着され得る携帯端末とは、第１実施形態における前記携帯端末１のような携帯端末そのものに加え、たとえば、図１４に示すような、スピーカ部の放音孔８０が外部に露出するように保護ケース８１などを装着した状態の携帯端末８２をも含むものである。
【符号の説明】
【００７５】
１    携帯端末
２    表示部
３    スピーカ部
４    放音孔
１０  携帯端末用カバー
１１  カバー本体
１２  第１対向面
１３  第２対向面
３１  第１凹部
３３  音入力部
３４  連通部
３６  ホーン形状部
４０  膨出部
４１  開口部
４２  第２凹部
５０  音響経路
５１  放音口
７０  携帯端末用カバー
７１  第１凹部
７２  対向面
７３  カバー本体
７７  音入力部
７８  連通部
７９  ホーン形状部
【図１】
2014216777.tif 000003
【図２】
2014216777.tif 000004
【図３】
2014216777.tif 000005
【図４】
2014216777.tif 000006
【図５】
2014216777.tif 000007
【図６】
2014216777.tif 000008
【図７】
2014216777.tif 000009
【図８】
2014216777.tif 000010
【図９】
2014216777.tif 000011
【図１０】
2014216777.tif 000012
【図１１】
2014216777.tif 000013
【図１２】
2014216777.tif 000014
【図１３】
2014216777.tif 000015
【図１４】
2014216777.tif 000016